(57)【特許請求の範囲】
【請求項１】
四辺形状の排水口を、四角形状の洗い場の端部に設けた洗い場床であって、前記洗い場の上面に、前記排水口に向かう下り勾配を形成した排水勾配面を設けた洗い場床において、
前記排水口は、凹形状部によって形成され、前記排水口の四辺形の辺のうち前記洗い場の端部から最も離れた一辺が最も低い高さとなるように、前記排水口の四辺形の辺のうち前記洗い場の端部から最も離れた一辺に隣接して前記凹形状部と前記排水勾配面との境界となる前記排水口の辺が傾斜して設けられ、
前記排水勾配面は、前記排水口の四辺形の辺のうち前記洗い場の端部から最も離れた一辺に向けて下り勾配となるように形成されたことを特徴とする洗い場床。
【請求項２】
前記排水口の四辺形の辺のうち前記洗い場の端部から最も離れた一辺に、前記洗い場の表面の水を途切らせずに前記排水口に排出可能な導水溝を形成したことを特徴とする請求項１記載の洗い場床。
【請求項３】
前記排水勾配面は、前記洗い場の四つの辺をそれぞれ始点とし前記排水口を終点とする複数の排水勾配面を備えてなり、
前記複数の排水勾配面のうち、任意の排水勾配面と前記任意の排水勾配面と隣接する排水勾配面との境界線は、前記四角形状の洗い場の四隅と、前記排水口の四辺形の辺のうち前記洗い場の端部から最も離れた一辺の端部と、を結ぶように構成されたことを特徴とする請求項１又は２に記載の洗い場床。
【請求項４】
前記洗い場の浴槽側の端縁に上方に立ち上がる止水壁が設けられ、
前記洗い場と前記止水壁との境界線は、一直線上に設けられたことを特徴とする請求項１〜３のいずれか１項に記載の洗い場床。
【発明の詳細な説明】
【技術分野】
【０００１】
本発明は、浴室の洗い場床に関する。
【背景技術】
【０００２】
特許文献１に代表的に示されるように、従来の浴室の洗い場は、洗い場の所定の箇所に設けられた四辺形状の排水口の３つの辺あるいは４つの辺に向けて排水勾配面を設けていた。この排水勾配面は、図７に示すように、角度θの下り勾配を有している。これによって、洗い場上の水を排水口に排出していた。近年では、夜間に入浴した際に洗い場上に残った水が、翌日朝には洗い場上に残らないように排水性能を向上させた洗い場も実現されている。
【先行技術文献】
【特許文献】
【０００３】
【特許文献１】特開２０００−３０９９６５号公報
【発明の概要】
【発明が解決しようとする課題】
【０００４】
排水勾配面が、排水口の３つの辺あるいは４つの辺に向けた下り勾配とされた場合、洗い場上の水は、排水口の全周、すなわち、３つの辺あるいは４つの辺から排水口に流れ込むことになる。洗い場上の水は、石けんやシャンプー、あるいは、髪の毛などと共に排水口に流れ込むため、排水口の内部にはほぼ全周に髪の毛や水垢が付着してしまい、清掃の手間が多大であった。
そこで、本発明は、洗い場から排水口に排出する水の流れを制限することによって、排水口の清掃の手間を低減することが可能な洗い場床を提供することを目的とする。
【課題を解決するための手段】
【０００５】
上記課題を解決するために、請求項１の発明は、四辺形状の排水口を、四角形状の洗い場の端部に設けた洗い場床であって、前記洗い場の上面に、前記排水口に向かう下り勾配を形成した排水勾配面を設けた洗い場床において、前記排水口は、凹形状部によって形成され、前記排水口の四辺形の辺のうち前記洗い場の端部から最も離れた一辺が最も低い高さとなるように、前記排水口の四辺形の辺のうち前記洗い場の端部から最も離れた一辺に隣接して前記凹形状部と前記排水勾配面との境界となる前記排水口の辺が傾斜して設けられ、前記排水勾配面は、前記排水口の四辺形の辺のうち前記洗い場の端部から最も離れた一辺に向けて下り勾配となるように形成されたことを特徴とする。
【０００６】
これによれば、従来は排水口の三辺から洗い場上の水を排出していたが、本発明では排水口の一辺から水を排出するので、洗い場上の水をより集中して排出することになる。そのため、洗い場から排水口に排出する水の流れは、排水口の全周から排水口に流れ込むのが抑制される。これにより、髪の毛や水垢などの汚れが排水口の全周に付着するのを抑制できるので、排水口の清掃の手間を低減させることが可能となる。
【０００７】
また、請求項２の発明は、前記排水口の四辺形の辺のうち前記洗い場の端部から最も離れた一辺に、前記洗い場の表面の水を途切らせずに前記排水口に排出可能な導水溝を形成したことを特徴とする。
【０００８】
これによれば、洗い場上の残水を途切れさせずに排水口に排出することが可能となる。
【０００９】
また、請求項３の発明は、前記排水勾配面は、前記洗い場の四つの辺をそれぞれ始点とし前記排水口を終点とする複数の排水勾配面を備えてなり、前記複数の排水勾配面のうち、任意の排水勾配面と前記任意の排水勾配面と隣接する排水勾配面との境界線は、前記四角形状の洗い場の四隅と、前記排水口の四辺形の辺のうち前記洗い場の端部から最も離れた一辺の端部と、を結ぶように構成されたことを特徴とする。
【００１０】
これによれば、隣り合う排水勾配面の間の境界線が洗い場上の水を排出する案内路となって、排水口のうち洗い場の端部から最も離れた一辺に水を流し込むことが可能となる。
【００１１】
また、請求項４の発明は、前記洗い場の浴槽側の端縁に上方に立ち上がる止水壁が設けられ、前記洗い場と前記止水壁との境界線は、一直線上に設けられたことを特徴とする。
【００１２】
これによれば、洗い場の浴槽側の端縁が水平な一直線状となるので、浴槽の跨ぎ高さが低減され、浴槽への出入りがしやすくなる。また、浴室の意匠性が向上する。
【発明の効果】
【００１３】
本発明によれば、洗い場から排水口に排出する水の流れを制限することによって、排水口の清掃の手間を低減することが可能な洗い場床を提供することができる。
【図面の簡単な説明】
【００１４】
【図１】本発明の実施形態に係る洗い場床が適用された浴室ユニットを例示する模式的斜視図である。
【図２】図１の洗い場を示す模式図である。
【図３】図２に示す洗い場のＡ−Ａ’断面図、Ｂ−Ｂ’断面図、Ｃ−Ｃ’断面図である。
【図４】図１の洗い場の排水勾配面を説明する模式的斜視図である。
【図５】図１の洗い場床を説明する模式的分解斜視図である。
【図６】図１の洗い場に設けられた排水口を示す模式的斜視図である。
【図７】従来の洗い場の排水勾配面を示す模式的斜視図である。
【発明を実施するための形態】
【００１５】
以下、本発明の実施形態について図面を参照しつつ説明する。
【００１６】
図１に示すように、浴室載置面Ｈの上に設置された浴室ユニットは、洗い場床１と、それに隣接する浴槽２とを備えている。洗い場床１は、上面が入浴時の洗い場１ａとされ、平面視が四角形状であり、その一端部に排水口１５が設けられている。排水口１５には、通常は、蓋が被せられている。また、浴槽２の洗い場側にはバスエプロン９が設けられている。
【００１７】
洗い場床１は、長さ調整可能なアジャスタ機能付き脚６の上に固定されている。洗い場床１の下方には、排水口１５と浴室外の排水管路とを連通させる排水管５が敷設されている。
【００１８】
洗い場床１は、洗い場１ａの周縁部の各辺を囲むようにして止水壁１ｂが設けられることによって周縁部が上側に立ち上げられた浅底の器状（パン状）に形成され、浴室外部に水を漏出させないような立体的な形状となっている。
ただし、洗い場１ａの外周部分のうち３辺には、図示せぬ壁パネルが設けられて、止水処理がなされるので、止水壁１ｂは、洗い場１ａの外周部分のうち、少なくとも浴槽側の辺に設けられていればよい。
【００１９】
洗い場１ａの上面には、洗い場１ａの上の水を排水口１５に流すため、排水口１５に向けて所定の勾配を持った傾斜面からなる複数の排水勾配面１１０、１１１、１１２及び１１３が設けられている。この勾配は、洗い場１ａの外周縁の各辺からそれぞれ遠ざかる方向に向けた下り勾配としている。なお、排水勾配面１１１，１１２，１１３は、排水口１５に向けて一定の傾斜角度を有するようにしてもよいが、排水口１５付近の水切れ性を高めるために、排水口１５近辺の傾斜角度を小さくしてもよい。
【００２０】
なお、洗い場１ａの浴槽側に設けられた排水勾配面１１０は、排水口１５を間に挟んだ両側に跨って配置されているが、洗い場１ａの浴槽側の止水壁１ｂの表面と、洗い場１ａの表面と、の境界線Ｌはいずれも同一直線上に存在している。そして、この境界線Ｌから遠ざかる方向に向けて同じ下り勾配となる傾斜となっている。
【００２１】
図５に表したように、洗い場床１は、床基材１１と、床基材１１の上に接着して設けられた表皮材１２と、を備えている。
【００２２】
床基材１１は、洗い場床１の外郭表面形状の基礎になる形状を形成するため、洗い場床１の表面形状に相似した周縁部が上側に折り曲げられた浅底の器状（パン状）に形成されている。
【００２３】
そして、床基材１１の床面部１１ａには、前述した洗い場１ａの排水勾配面１１０、１１１、１１２及び１１３を形成する表皮材１２を接着するための基準面となる傾斜面（排水傾斜面１１０ａ、１１１ａ、１１２ａ及び１１３ａ）が形成され、立壁部１１ｂには、止水壁１ｂを形成するための基準面となる立壁面が付与されているため、床基材１１の表面は、全体として立体的な形状となっている。
【００２４】
床基材１１の素材としては、ＦＲＰのほか、発泡性プラスチックなど各種の材料を用いることができる。
【００２５】
図５に表したように、表皮材１２は、床基材１１の床面部１１ａを覆って洗い場１ａの表面を形成する床表面部１２ａと、床基材１１の立壁部１１ｂを覆って止水壁１ｂの表面を形成する立壁表面部１２ｂと、を有する。また、表皮材１２は、床基材１１の凹形状部１５ａを囲む孔１２ｈを備えている。この表皮材１２は、床面部１１ａの排水傾斜面１１０ａ、１１１ａ、１１２ａ及び１１３ａに倣うように変形させて、床基材１１の表面を覆うように接着される。なお、この際、床基材１１と表皮材１２のあいだに、ウレタン製のクッション材１０１を介在させることにより、洗い場床に程良い軟らかさを設けることができる。
【００２６】
また、洗い場床１は、フレーム６１の上に載置されている。フレーム６１は、鋼材製の梯子状に構成され、支持脚６によって支えられている。
【００２７】
洗い場床１と、フレーム６１と、の間には、補強部材１４を介在させている。補強部材１４には、比較的に高強度で剛性のある平板状の素材が好適であり、その一例として、サンドイッチパネルが用いられている。
なお、補強部材１４の略中央には、施工の際に支持脚６の高さ調節等の作業のため、作業者が床下にもぐることができるように作業口１２１ｈが設けられている。施工後、この作業口１２１ｈには蓋１２１が被せられる。
【００２８】
次に、洗い場１ａの上面に設けた排水勾配面について説明する。
図４を参照して、床基材１１は、排水口１５を形成する凹形状部１５ａと表面の傾斜面とを備えた床面部１１ａと、その周辺部に設けられた立壁部１１ｂと、で構成されている。床面部１１ａの傾斜面は、排水傾斜面１１０ａ、１１１ａ、１１２ａ及び１１３ａに分けられている。
【００２９】
この排水勾配面１１０，１１１，１１２，１１３のうち、任意の排水勾配面と前記任意の排水勾配面と隣接する排水勾配面、すなわち隣り合う排水勾配面の間の境界線Ｍは、四角形状の洗い場１ａの四隅と、排水口１５の四辺形の辺のうち洗い場１ａの端部から最も離れた一辺の端部とを結ぶように構成されている。この境界線Ｍは、洗い場１ａ上の水を、排水口１５のうち洗い場１ａの端部から最も離れた一辺に向けて案内する案内路となる。すなわち、洗い場１ａの上の水は、排水勾配面から隣り合う排水勾配面に向けて流れても、境界線Ｍに沿って排水口１５に向けて流れるように流れが矯正されるのである。
これにより、洗い場１ａの上の水を、速やかに排水口１５に排出することが可能となっている。
なお、境界線Ｍは、隣り合う排水勾配面の間に１本形成されるとは限らず、２本形成してもよい。境界線Ｍを２本にすると、境界線Ｍの角を緩やかになるので、清掃性がよいものとなる。
【００３０】
なお、図４に示す矢印Ｓ１は、床基材１１に形成された排水傾斜面１１０ａ、１１１ａ、１１２ａ及び１１３ａのそれぞれの下り勾配の方向を表している。すなわち矢印Ｓ１の向く方向が、下りの方向を示している。このように、床基材１１において、排水傾斜面１１０ａ、１１１ａ、１１２ａ及び１１３ａは、床面部１１ａの外周縁の各辺を始点として、各辺と直交する方向に下がる傾斜平面になっている。これにより、洗い場１ａの上面にも、洗い場１ａの外周縁の各辺を始点として、各辺と直交する方向、すなわち、排水口１５に向けて下り傾斜する排水勾配面１１０，１１１，１１２，１１３が形成されるのである。
【００３１】
ここで、浴槽側の立壁部１１ｂの浴室内側の表面と床面部１１ａの表面のうちの排水傾斜面１１０ａと、の境界線Ｌ１及びＬ２は、「一直線上に」、即ち、いずれも一本の仮想直線の上に設けられている。そして、この排水傾斜面１１０ａは、この境界線Ｌ１及びＬ２を始点として、遠ざかる方向に向けて下り勾配となる傾斜平面となっている。
【００３２】
ここで、通常、洗い場床１の排水口１５は、洗い場１ａの端部のうちでも、浴槽２に最も近い中央部の位置に略四辺形に設けられることが多く、本実施形態における床基材１１においても、排水口１５を形成する凹形状部１５ａは、略四辺形に設けられ、立壁部１１ｂが延びる方向において立壁部１１ｂの中央部分にその一辺が立壁部１１ｂに近接して設けられている。そのため、排水傾斜面１１０ａは、洗い場１ａの端部から最も離れた辺を傾斜の最下位置として、凹形状部１５ａを間にした両側に広がる同一傾斜平面上に設けられている。
【００３３】
本実施形態では、排水傾斜面１１０ａ、１１１ａ、１１２ａ及び１１３ａは、凹形状部１５ａに向けての下り勾配がそれぞれの領域内において等しい傾斜平面となっているが、本発明では立壁面に接する排水傾斜面の境界線が一直線上にある限りにおいて、表皮材１２の材質に応じた所定範囲内で下り勾配が異なる排水傾斜面とすることが可能である。例えば、下り勾配の終点となる凹形状部１５ａの形状や各排水傾斜面の割り付け方を適宜に変形させて湾曲傾斜した曲面としても本発明を適用可能である。
【００３４】
図２に表したように、洗い場床１は、洗い場１ａの周縁部分から上方に向けて止水壁１ｂが立ち上がっている。そして、止水壁１ｂのうちの浴槽設置側に設けられた止水壁１ｂは他の止水壁１ｂより高く形成され、洗い場１ａとの境界線Ｌは一直線上に配置されている。そして、洗い場１ａの表面は、前述した通り、この境界線Ｌと表皮材周縁部の残りの３辺をそれぞれの始点として排水口１５に向けた下り勾配面が排水勾配面１１０、１１１、１１２及び１１３となっている。
【００３５】
さて、洗い場１ａの上面を覆っている表皮材１２には、洗い場上の水を途中で途切れさせることなく排水口にゆっくりを排出するための排水溝が設けられている。これにより、夜間に入浴した際に洗い場上に残った水が、翌日朝には洗い場上に残らないように排水性能を向上されている。
このような洗い場１ａでは、洗い場上の残水が少なくなってきた場合に、排水溝を伝ってきた水が排水口１５に水が勢いよく流れてしまうと、水が途中で途切れてしまうことがある。そこで、洗い場上の残水が少なくなってきた場合に、排水口１５に水が勢いよく流れ出ないようにするために、排水口１５の周囲に導水溝１６を設けている。
【００３６】
本実施形態においては、前述したように、洗い場１ａの排水勾配面１１０，１１１，１１２，１１３は、排水口１５のうち、洗い場１ａの端部から最も離れた一辺に向けて水が流れるようになっている。そのため、導水溝１６を、排水口１５のうち、洗い場１ａの端部から最も離れた一辺の両端にのみ設けるだけで、洗い場上の残水が少なくなった場合に、排水口１５に水が勢いよく流れ出ないようにすることが可能となる。
この導水溝１６は、排水口１５の周囲に段部を設けた形状であるため、水と共に排水口１５に流れ込む髪の毛が付着したり、水垢が付着したりした場合、きれいに清掃するのが大きな手間であった。しかし、本実施形態においては、導水溝１６を、排水口１５のうち、洗い場１ａの端部から最も離れた一辺の両端にのみ設けているので、清掃の手間を大いに削減することができる。
【符号の説明】
【００３７】
１…洗い場床
１ａ…洗い場
１１ｂ（Ｗ）…止水壁
１５…排水口
１６…導水溝
１１０，１１１，１１２，１１３…排水勾配面
Ｌ，Ｌ１，Ｌ２…洗い場と止水壁との境界線
Ｍ…排水勾配面と隣接する排水勾配面との境界線
【図１】
0005900834.tif 000002
【図２】
0005900834.tif 000003
【図３】
0005900834.tif 000004
【図４】
0005900834.tif 000005
【図５】
0005900834.tif 000006
【図６】
0005900834.tif 000007
【図７】
0005900834.tif 000008